(57)【要約】【課題】防塵カバーの形状を工夫することにより、ゴーストが生じないようにした墨出し器の防塵カバーを得る。【解決手段】レーザー光源から射出されたレーザー光束を特定の方向に伸張し防塵カバー７３を透過させて対象面にレーザー光による基準線を投射するレーザー墨出し器において、防塵カバー７３は、レーザー光源から射出されたレーザー光の防塵カバー７３による反射光が墨出し器内に戻るように湾曲して形成されている。防塵カバー７３は、その内面による反射光が墨出し器内に戻るように湾曲して形成されている。【選択図】　図１
2004061258.tif 000002
【特許請求の範囲】
【請求項１】
レーザー光源から射出されたレーザー光束を特定の方向に伸張し防塵カバーを透過させて対象面にレーザー光による基準線を投射するレーザー墨出し器において、
上記防塵カバーは、上記レーザー光源から射出されたレーザー光の上記防塵カバーによる反射光が墨出し器内に戻るように湾曲して形成されていることを特徴とするレーザー墨出し器の防塵カバー。
【請求項２】
防塵カバーは、その内面による反射光が墨出し器内に戻るように湾曲して形成されている請求項１記載のレーザー墨出し器の防塵カバー。
【請求項３】
防塵カバーは、墨出し器本体の天井部に設けられている請求項１記載のレーザー墨出し器の防塵カバー。
【請求項４】
防塵カバーは、墨出し器本体の正面に設けられている請求項１記載のレーザー墨出し器の防塵カバー。
【発明の詳細な説明】
【０００１】
【発明の属する技術分野】
本発明は、建築作業や部屋の間仕切りなどを行う際に、レーザー光によって壁面から天井面あるいは床面にかけて、通り芯あるいは「たち」と呼ばれる基準線、あるいは壁面に「ろく」と呼ばれる基準線などを投射することができるレーザー墨出し器に関するもので、特にその防塵カバーの形状に関するものである。
【０００２】
【従来の技術】
レーザー光は、本来横断面が楕円形の光であるが、コリメートレンズおよび軸線を水平とした円柱状のロッドレンズを通すことにより、一条の鉛直光線となる。また、コリメートレンズおよび軸線を垂直とした円柱状のロッドレンズを通すことにより、一条の水平光線となる。
レーザー墨出し器は、このような鉛直光線または水平光線を投射するレーザー投光器を利用したもので、ジンバル機構により支持されたレーザーユニットホルダーを備え、このレーザーユニットホルダーの所定位置にレーザー投光器からなるレーザーユニットが支持されている。レーザーユニットホルダーは、上記ジンバル機構により、傾きのない所定の姿勢に保持され、これによって正確な鉛直光線または水平光線を投射することができるようになっている。
【０００３】
レーザー墨出し器の内部には、レーザー光を射出するための半導体レーザーからなるレーザー光源、ロッドレンズ、ジンバル機構などの光学部品や精密加工部品が組み込まれているため、内部に塵埃が侵入しないように密閉されている。そして、レーザー墨出し器本体からレーザー光が出射する窓には、レーザー光を透過し、塵埃の侵入を防止する防塵カバーが嵌め込まれている。この防塵カバーは透明のガラス板、合成樹脂板、あるいはフイルムなどからなる。
【０００４】
以下に、図３ないし図５を参照しながら従来のレーザー墨出し器の概要を説明する。図１において、基板１０には、その下側に３本の脚１２が取付けられ、これらの脚１２によって基板１０がほぼ水平に保たれるようになっている。基板１０には、その上側に適宜数の支柱１４が垂直方向に立てられ、各支柱１４の上端部にはジンバル機構１５が取付けられ、ジンバル機構１５によってレーザーユニットホルダー２４が吊り下げられている。レーザーユニットホルダー２４はあらゆる向きに自由に揺動することができる。
【０００５】
レーザーユニットホルダー２４の上端部には鉛直光線投射用のレーザーユニット３０が斜め上方に向けて取付けられている。レーザーユニットホルダー２４にはまた、ジンバル機構１５の下側に水平光線投射用の第２のレーザーユニット４０が水平方向に向けて取付けられている。レーザーユニットホルダー２４の下端部には、地墨投射用の第３のレーザーユニット５０が真下に向けて取付けられている。
【０００６】
鉛直光線投射用のレーザーユニット３０は、レーザー光源３１と、レーザー光源３１から出射される発散光を平行光束にするコリメータレンズ３２と、この平行光束を垂直方向にのみ伸張する円柱状ロッドレンズ３３とを有してなる。水平光線投射用の第２のレーザーユニット４０もほぼ同様の構成で、レーザー光源４１と、レーザー光源４１から出射される発散光を平行光束にするコリメータレンズ４２と、この平行光束を水平方向にのみ伸張する円柱状ロッドレンズ４３とを有してなる。地墨投射用の第３のレーザーユニット５０は、レーザー光源５１と、レーザー光源５１から出射される発散光を平行光束にするコリメータレンズ５２とを有してなる。各レーザーユニット３０、４０、５０はともに、所定の鏡筒に組み込まれている。各レーザー光源３１、４１、５１は例えば半導体レーザーからなる。
【０００７】
レーザーユニットホルダー２４は、ジンバル機構１５を介して吊り下げられることによりほぼ鉛直な姿勢をとる。この状態で上記三つのレーザーユニット３０、４０、５０のレーザー光源３１、４１、５１に通電されると、各レーザーユニット３０、４０、５０からレーザー光が出射される。レーザーユニット３０からは鉛直方向に伸張されたレーザー光が出射され、このレーザー光の光路上にある建物の壁などに投射されて鉛直線を描くとともに、上記壁に連続する床や天井に上記鉛直線に続く直線を描く。レーザーユニット４０からは水平方向に伸張されたレーザー光が出射され、このレーザー光の光路上にある建物の壁などに投射されて水平線を描く。レーザーユニット５０からはレーザーの平行光束が真下に向かって出射され、レーザー墨出し器が設置された建物の床などにレーザーのスポットを描く。これが地墨用のレーザースポットで、このスポットが所定の建物の床などに記された基準マークの上に形成されるように墨出し器を設置する。
【０００８】
前記基板１０の上には、以上説明した各機構を覆うメインカバー６０が被せられている。カバー６０には、上記レーザーユニット３０から鉛直方向に伸張されたレーザー光が出射されるのを妨げないように鉛直方向に長い窓孔６１が形成されるとともに、上記レーザーユニット４０から水平方向に伸張されたレーザー光が出射されるのを妨げないように水平方向に長い窓孔６２が形成されている。これらの窓孔６１、６２には、前述の防塵カバーが嵌め込まれている。
【０００９】
図４は、従来の墨出し器における防塵カバーの取り付け例を示す。図４において、墨出し器のメインカバー６０の天井部に形成された窓孔には平坦な透明板によって形成された防塵カバー６３がはめ込まれている。また、メインカバー６０の天井近くの前面側に形成された窓孔には平坦な透明板によって形成された防塵カバー６４がはめ込まれている。上記防塵カバー６３、６４はいずれもレーザーユニット３０から鉛直方向に伸張されたレーザー光を透過させるものである。
【００１０】
【発明が解決しようとする課題】
上記のように、従来の墨出し器における防塵カバー６３、６４は、ガラス、合成樹脂、フイルムなどからなる平坦で透明な部材からなる。このように平坦な部材からなる防塵カバー６３、６４の面に対して直角方向にレーザーユニット３０からの光束が進行する場合、防塵カバー６３、６４の内面で光が反射されたとしても、反射光はレーザーユニット３０側に戻ってくるため、照射対象にゴーストなどを生じることはない。しかし、レーザーユニット３０から出射するレーザー光はロッドレンズ３３によって垂直面内において伸張されているため、レーザーユニット３０から防塵カバー６３、６４に向かうレーザー光のほとんどは、防塵カバー６３、６４の面に対して斜め方向となる。そのため、図５に符号６５で示すように、例えば防塵カバー６３の内面に対して斜め方向に向かったレーザー光の一部は、防塵カバー６３の内面に反射されてもう一方の防塵カバー６４に向かい、防塵カバー６４を透過して照射対象に照射される。この符号６５で示すレーザー光によって照射されるのがゴーストであり、本来の正しい基準線と、偽ものの線が照射され、紛らわしいことがあった。
【００１１】
本発明は以上のような従来技術の問題点を解消するためになされたもので、防塵カバーの形状を工夫することにより、ゴーストが生じないようにした墨出し器の防塵カバーを提供することを目的とする。
【００１２】
【課題を解決するための手段】
請求項１記載の発明は、レーザー光源から射出されたレーザー光束を特定の方向に伸張し防塵カバーを透過させて対象面にレーザー光による基準線を投射するレーザー墨出し器において、上記防塵カバーは、レーザー光源から射出されたレーザー光の上記防塵カバーによる反射光が墨出し器内に戻るように湾曲して形成されていることを特徴とする。
【００１３】
請求項２記載の発明は、請求項１記載の発明において、防塵カバーは、その内面による反射光が墨出し器内に戻るように湾曲して形成されていることを特徴とする。
請求項３記載の発明は、請求項１記載の発明において、防塵カバーは、墨出し器本体の天井部に設けられていることを特徴とする。
請求項４記載の発明は、請求項１記載の発明において、防塵カバーは、墨出し器本体の正面に設けられていることを特徴とする。
【００１４】
【発明の実施の形態】
以下、図面を参照しながら本発明にかかるレーザー墨出し器の防塵カバーの実施形態について説明する。なお、本発明はレーザー墨出し器の防塵カバーの形状に特徴があり、防塵カバー以外の構成は、どのような構成のレーザー墨出し器であっても差し支えがないので、防塵カバーの部分の構成について重点的に説明する。また、図３から図５に示す従来例の構成と共通の構成部分には共通の符号を付している。
【００１５】
図１において、レーザー墨出し器のメインカバー６０の天井部には窓孔が形成され、この窓孔には防塵カバー７３がはめ込まれている。上記メインカバー６０の天井近くの前面側にも窓孔が形成され、この窓孔には防塵カバー７４がはめ込まれている。これらの防塵カバー７３、７４を、レーザーユニット３０から出射されかつ鉛直面内において伸張されたレーザー光が透過し、建物の壁、天井などの投射対象に、鉛直方向の基準線が投射されるようになっている。
【００１６】
上記防塵カバー７３は、レーザーユニット３０に内蔵されているレーザー光源から射出されたレーザー光の上記防塵カバー７３による反射光が墨出し器内に戻るように円筒形状に湾曲して形成されている。換言すれば、防塵カバー７３の内面側が円筒形の凹面をなすように形成されている。これに対して他方の防塵カバー７４は平坦面をなしている。なお、防塵カバー７３と防塵カバー７４との間にはメインカバー６０の一部が介在し、防塵カバー７３と防塵カバー７４の各一端縁部を保持している。
【００１７】
防塵カバー７３が上記のように湾曲して形成されているため、レーザーユニット３０から出射され防塵カバー７３の内面で反射されたレーザー光７６は、墨出し器内部に向かい、例えば他方の防塵カバー７４を透過して墨出し器の外部に出射することはない。したがって、照射対象に本来の正しい基準線のみが照射され、偽もののゴーストが照射されることがないから、紛らわしさを防止することができる。
【００１８】
図１に示す実施形態において、防塵カバー７３は、その内面で反射されるレーザー光を効果的に墨出し器内部に向かわせるために、レーザーユニット３０の円柱状ロッドレンズ３３を中心とする円弧状に湾曲させるとよい。しかし、このような形状に限られるものではない。また、図１に示す実施形態では、もう一方の防塵カバー７４は平面形状になっているが、この防塵カバー７４も、上記防塵カバー７３と同様に、レーザー光源から射出されたレーザー光の上記防塵カバー７４による反射光が墨出し器内に戻るように湾曲させてもよい。
【００１９】
次に、図２に示す実施形態について説明する。この実施形態が図１に示す実施形態と異なっている点は、レーザー墨出し器のメインカバー６０の天井部に位置する防塵カバー８３の両側に連続し、メインカバー６０の前面と背面に防塵カバー８４、８５が配置されている点である。防塵カバー８４、８５の外端縁部がメインカバー６０に埋め込み等によって結合され、レーザー墨出し器内部が密閉されている。上記防塵カバー８３はレーザーユニット３０のレーザー光源から射出されたレーザー光の上記防塵カバー８３による反射光が墨出し器内に戻るように、内面側が円筒状の凹面をなすように湾曲している。これに対して、防塵カバー８４、８５は平坦な形状をしている。防塵カバー８３は、レーザーユニット３０の円柱状ロッドレンズ３３を中心とする円弧状に湾曲していてもよいし、必ずしもロッドレンズ３３を中心とする円弧状でなくてもよい。また、防塵カバー８４、８５を、レーザーユニット３０のレーザー光源から射出されたレーザー光の上記防塵カバー８４、８５による反射光が墨出し器内に戻るように、内面側が円筒状の凹面をなすように湾曲させてもよい。
【００２０】
図２に示す実施形態によれば、図１に示す実施形態と同様の作用効果を得ることができる。加えて、防塵カバー８３と防塵カバー８４、８５とが連続し、これらの境界部分にメインカバー６０の一部が存在することはないから、対象物に照射されるレーザー光による基準線が途切れなく連続する利点がある。
【００２１】
以上、レーザーによる鉛直方向の基準線を照射する実施形態について説明したが、本発明は、水平方向の基準線を照射するためのレーザー光の出射窓に適用することができる。図３に示す例で説明すると、水平方向の基準線を照射するためのレーザーユニット４０の前方に配置される防塵カバーを湾曲させるのである。こうすることにより、水平方向の基準線のゴースト像が生じるのを防止することができ、図１、図２に示す実施形態と同様の作用効果を得ることができる。
【００２２】
【発明の効果】
本発明によれば、レーザー光源から射出されたレーザー光束を特定の方向に伸張し防塵カバーを透過させて対象面にレーザー光による基準線を投射するレーザー墨出し器において、上記防塵カバーは、レーザー光源から射出されたレーザー光の上記防塵カバーによる反射光が墨出し器内に戻るように湾曲して形成したため、防塵カバーによる反射光が墨出し器外に出ることがなく、ゴースト光による基準線の形成が防止され、本来の正しい基準線と、偽ものの線との紛らわしさをなくすことができる。
【図面の簡単な説明】
【図１】本発明にかかるレーザー墨出し器の防塵カバーの実施形態を示す要部横断面図である。
【図２】本発明にかかるレーザー墨出し器の防塵カバーの別の実施形態を示す要部横断面図である。
【図３】本発明を適用可能なレーザー墨出し器の例を示す縦断面図である。
【図４】従来のレーザー墨出し器における防塵カバーの構造の例を示す要部横断面図である。
【図５】上記従来のレーザー墨出し器における防塵カバーの問題点を示す要部横断面図である。
【符号の説明】
６０　メインカバー
７３　防塵カバー
７４　防塵カバー
８３　防塵カバー
８４　防塵カバー
８５　防塵カバー
【図１】
2004061258.tif 000003
【図２】
2004061258.tif 000004
【図３】
2004061258.tif 000005
【図４】
2004061258.tif 000006
【図５】
2004061258.tif 000007